(57)【特許請求の範囲】
【請求項１】
枡や水路の通水孔を経て地中に浸透する水の浄化装置において、
通水孔を通過する水を漉す粗目透水マットと細目透水マット、及び、粗目透水マットと細目透水マットを格納する筐体を備え、
筐体は、通水孔に抜き取り可能に嵌め込む形状にし、筐体内部の上段と下段に、粗目透水マットと細目透水マットを筐体側面の開口から抜き出し可能に差し込み、筐体の上面、下面と中面を、それぞれ、水が通過する通水性にし、
通水孔を通過する水が、筐体の通水性の上面、粗目透水マット、筐体の通水性の中面、細目透水マットと筐体の通水性の下面を順次通過する構成にし、
目詰まりを解消するときには、筐体を通水孔から抜き取り、粗目透水マットと細目透水マットを筐体側面の開口から抜き出し、粗目透水マット、細目透水マットと筐体を洗浄し、目詰まりを解消した粗目透水マットと細目透水マットを筐体内部の上段と下段に筐体側面の開口から差し込み、粗目透水マットと細目透水マットを格納した筐体を通水孔に嵌め込む構成にしたことを特徴とする浸透水の浄化装置。
【請求項２】
筐体の通水性の上面は、水の通る部分を人の手又は指が入る形状寸法にし、筐体を通水孔に着脱する際に掴む部分にしたことを特徴とする請求項１に記載の浸透水の浄化装置。
【請求項３】
筐体側面の粗目透水マット用開口と細目透水マット用開口は、それぞれ、筐体側面の前面と後面又は左面と右面に設けたことを特徴とする請求項１又は２に記載の浸透水の浄化装置。
【請求項４】
粗目透水マットは、通水孔に流入する水から、落ち葉や木の実や砂利のような大粒の固形物を分離して除去する水処理材にし、
細目透水マットは、粗目透水マットを通過した水から、砂や泥のような小粒の固形物を分離して除去する水処理材にしたことを特徴とする請求項１、２又は３に記載の浸透水の浄化装置。
【請求項５】
筐体は、通水孔の開口縁に当るフランジを設けたことを特徴とする請求項１〜４のいずれかに記載の浸透水の浄化装置。
【発明の詳細な説明】
【技術分野】
【０００１】
本発明は、地表の枡や水路から地中に浸透する水を浄化する技術に関する。
【背景技術】
【０００２】
浸透用の枡は、コンクリートブロックの枡形体の底板に通水孔を形成している。通水孔には、浄化装置を取り付けている。地表に埋設した枡形体は、下側位置に透水層を設けている。透水層は、砕石を敷き並べて積層している。地表の枡に流入する水は、地表を流れて来た雨水や雪融け水であり、落ち葉や木の実などのゴミ、砂利、砂や泥などを含んでいる。
枡に流入した水は、一部又は全部が浄化装置付きの通水孔から砕石の透水層を経て地中に浸透する。浄化装置は、漉す機能を有し、通水孔を通過する水からゴミ、砂利、砂や泥などの固形物を分離して除去する。
これらの粒状の固形物は、砕石の透水層に流入すると、透水層が目詰まりすることになる。透水層は、地表に埋設したコンクリートブロックの下側に埋まっている。このような透水層は、目詰まりすると、その解消が極めて困難である。
浄化装置は、通水孔を通過する水から除去した固形物で目詰まりすると、枡から取り外して洗浄する。目詰まりを解消した浄化装置は、再び、枡に取り付ける。
【０００３】
浸透用の水路も、同様に、コンクリートブロックの溝形体の底板に通水孔を形成し、通水孔に浄化装置を取り付けている。地表に埋設したコンクリートブロックの下側位置に砕石の透水層を設けている。
水路を流れる水は、一部又は全部が浄化装置付きの通水孔から透水層を経て地中に浸透する。浄化装置は、通水孔を通過する水から固形物を除去する。浄化装置は、目詰まりすると、水路から取り外して掃除し、再び、水路に取り付ける。
【先行技術文献】
【特許文献】
【０００４】
【特許文献１】特開２０１０−２５５２１９号公報
【特許文献２】特開２０１０−２６５６２８号公報
【発明の概要】
【発明が解決しようとする課題】
【０００５】
［課  題］
上記のような浸透水の浄化装置では、通水孔に着脱する作業や、目詰まりを解消する作業が容易であることが望まれる。
【０００６】
［着  想］
枡や水路に流入する水が含む固形物は、落ち葉や木の実などのゴミや砂利などの大粒のものと、砂や泥などの小粒のものがある。水を漉す水処理材は、大粒用の粗目透水材と小粒用の細目透水材の２種類にする。浄化装置は、枡や水路の底板の通水孔に嵌め込む。浄化装置の高さは、枡や水路のコンクリートブロックの底板の厚さと同程度であることが望まれる。粗目透水材と細目透水材は、平板状ないしマット状にし、上下に配置することにする。粗目透水マットは、通水孔に流入する水から、落ち葉や木の実や砂利のような大粒の固形物を分離して除去する。細目透水マットは、粗目透水マットを通過した水から、砂や泥のような小粒の固形物を分離して除去する。
【０００７】
粗目透水マットと細目透水マットを格納する筐体は、枡や水路の通水孔に抜き取り可能に嵌め込む形状にする。浄化装置は、嵌め込みと抜き取りで着脱する。着脱が容易である。
【０００８】
筐体の内部は、上下２段の構成にする。筐体内部の上段と下段には、それぞれ、粗目透水マットと細目透水マットを筐体側面の開口から抜き出し可能に差し込む構成にする。粗目透水マットと細目透水マットは、それぞれ、差し込みと抜き出しで着脱する。着脱が容易である。筐体側面の粗目透水マット用開口と細目透水マット用開口は、筐体を枡や水路の通水孔に嵌め込むと、通水孔の周面で閉鎖される。
【０００９】
筐体の上面、下面と中面は、それぞれ、水が通過する通水性にする。例えば、格子状や網状にする。又は、多数の孔を貫通して配列する。筐体の通水性の上面は、粗目透水マットが水中で浮き上るのを止める。筐体の通水性の中面は、細目透水マットが水中で浮き上るのを止める。また、粗目透水マットが落下したり水に流されたりするのを止める。更に、細目透水マットの上に溜まる小粒固形物の滞留空間を確保する。筐体の通水性の下面は、細目透水マットが落下したり水に流されたりするのを止める。
【００１０】
また、筐体の格子状、網状や孔明きの通水性の上面は、水の通る目や孔の部分を人の手又は指が入る形状寸法にする。筐体を通水孔に着脱する際に掴む部分にする。筐体を枡や水路の通水孔に嵌め込む又は抜き取る作業は、筐体の上面の一部を掴んで行う。嵌め込み又は抜き取りが更に容易になる。
【００１１】
浄化装置の目詰まりを解消する作業は、浄化装置の筐体を枡や水路の通水孔から抜き取る。筐体側面の粗目透水マット用開口と細目透水マット用開口からそれぞれ粗目透水マットと細目透水マットを抜き出す。粗目透水マット、細目透水マットと筐体は、洗浄する。目詰まりを解消した粗目透水マットと細目透水マットは、それぞれ、筐体の上段と下段に側面の粗目透水マット用開口と細目透水マット用開口から差し込む。水を漉す機能が回復した粗目透水マットと細目透水マットを格納した筐体は、枡や水路の通水孔に嵌め込む。浄化装置の目詰まり解消作業は、多くの手間が掛からない。
【課題を解決するための手段】
【００１２】
１．枡や水路の通水孔を経て地中に浸透する水の浄化装置において、
通水孔を通過する水を漉す粗目透水マットと細目透水マット、及び、粗目透水マットと細目透水マットを格納する筐体を備え、
筐体は、通水孔に抜き取り可能に嵌め込む形状にし、筐体内部の上段と下段に、粗目透水マットと細目透水マットを筐体側面の開口から抜き出し可能に差し込み、筐体の上面、下面と中面を、それぞれ、水が通過する通水性にし、
通水孔を通過する水が、筐体の通水性の上面、粗目透水マット、筐体の通水性の中面、細目透水マットと筐体の通水性の下面を順次通過する構成にし、
目詰まりを解消するときには、筐体を通水孔から抜き取り、粗目透水マットと細目透水マットを筐体側面の開口から抜き出し、粗目透水マット、細目透水マットと筐体を洗浄し、目詰まりを解消した粗目透水マットと細目透水マットを筐体内部の上段と下段に筐体側面の開口から差し込み、粗目透水マットと細目透水マットを格納した筐体を通水孔に嵌め込む構成にしたことを特徴とする浸透水の浄化装置。
２．上記１の浸透水の浄化装置において、
筐体の通水性の上面は、水の通る部分を人の手又は指が入る形状寸法にし、筐体を通水孔に着脱する際に掴む部分にしたことを特徴とする。
３．上記１又は２の浸透水の浄化装置において、
筐体側面の粗目透水マット用開口と細目透水マット用開口は、それぞれ、筐体側面の前面と後面又は左面と右面に設けたことを特徴とする。
４．上記１、２又は３の浸透水の浄化装置において、
粗目透水マットは、通水孔に流入する水から、落ち葉や木の実や砂利のような大粒の固形物を分離して除去する水処理材にし、
細目透水マットは、粗目透水マットを通過した水から、砂や泥のような小粒の固形物を分離して除去する水処理材にしたことを特徴とする。
５．上記１〜４のいずれかの浸透水の浄化装置において、
筐体は、通水孔の開口縁に当るフランジを設けたことを特徴とする。
【発明の効果】
【００１３】
浸透水の浄化装置は、通水孔に着脱する作業や、目詰まりを解消する作業が容易になる。
【図面の簡単な説明】
【００１４】
【図１】本発明の実施形態の第１例における浸透水の浄化装置の粗目透水マットと細目透水マットを抜き出した状態の斜視図。
【図２】同浸透水の浄化装置の平面図。
【図３】同浄化装置の正面図。
【図４】同浄化装置の右側面図。
【図５】同浄化装置を枡に取り付けた状態の中央縦断正面図。
【図６】図５のＡ−Ａ線断面図。
【図７】同浄化装置を水路に取り付けた状態の中央縦断正面図。
【図８】図７のＢ−Ｂ線断面図。
【図９】同浄化装置２個を広幅の水路に取り付けた状態の中央縦断正面図。
【図１０】実施形態の第２例における浸透水の浄化装置を厚い底板に取り付けた状態の中央縦断正面図。
【発明を実施するための形態】
【００１５】
［第１例（図１〜図９参照）］
〈構  成（図１〜図４参照）〉
本例の浸透水の浄化装置は、図１に示すように、粗目透水マット１、細目透水マット２と、両マット１、２を格納する筐体１１を備えている。
【００１６】
粗目透水マット１は、方形状の平板形状にしている。実施例での形状は、正方形の平板にしている。平板形状の粗目透水マット１は、上面から下面に通過する水から、落ち葉や木の実や砂利のような大粒の固形物を分離して除去する水処理材にしている。合成樹脂の繊維、糸や紐を加熱成形して熱溶着し、ヘチマの乾燥繊維や即席麺の加湯前の塊のような立体網目の構造にしている。
【００１７】
細目透水マット２は、方形状の平板形状にしている。実施例での形状は、正方形の平板にしている。平板形状の細目透水マット２は、上面から下面に通過する水から、大粒の固形物の外、砂や泥のような小粒の固形物を分離して除去する水処理材にしている。椰子繊維や合成繊維と接着剤を混ぜてニードルパンチを施してマット状に成形し、透水性の不織布の構造にしている。
【００１８】
筐体１１は、長方形状の平板と直線状の丸棒を組み合わせて結合している。実施例では、鉄板と鉄棒を組み合わせて溶接している。また、筐体１１は、平面が方形状の箱形状にしている。実施例での平面形状は、正方形にしている。その寸法は、２０ｃｍ角位にしている。筐体１１の外側形状は、枡や水路の方形状の通水孔に抜き取り可能に嵌め込む形状にしている。筐体１１の内部は、上下２段の構成にしている。筐体１１内部の上段と下段には、それぞれ、粗目透水マット１と細目透水マット２を筐体１１側面の開口１６、２５から抜き出し可能に差し込む構成にしている。
【００１９】
筐体１１の上段の構造は、図１〜図４に示すように、左右に側板１２を並列している。左右の側板１２は、上側縁の間に棒１３を左右方向に掛け渡して固定している。棒１３は、複数を前後に並列している。複数の並列した棒１３は、下側に棒１４を前後方向に配置して固定している。棒１４は、複数を左右に並列している。棒１３と棒１４は、直角に交差し、格子状に配列し、筐体１１の通水性の上面を構成している。左右の側板１２は、下側縁の間に棒１５を左右方向に掛け渡して固定している。棒１５は、複数を前後に並列している。複数の並列した棒１５は、筐体１１の通水性の中面の一部を構成している。筐体１１の上段部分の前面と後面は、それぞれ、開放し、粗目透水マット１を抜き出し可能に差し込む開口１６にしている。
【００２０】
筐体１１の格子状の上面１３、１４は、水の通る格子の目を人の手が入る形状寸法にしている。浄化装置を枡や水路の通水孔に着脱する際に掴む部分にしている。
【００２１】
筐体１１の下段の構造は、前後に側板２１を並列している。前後の側板２１は、それぞれ、上側縁の左右の端部を左右の側板１２の下側縁の前端部、後端部に固定している。前後の側板２１は、上側縁の間に棒２２を前後方向に掛け渡して固定している。棒２２は、複数を左右に並列している。棒２２と筐体１１上段の棒１５は、直角に交差し、格子状に配列し、筐体１１の通水性の中面を構成している。前後の側板２１は、下側縁の間に棒２３を前後方向に掛け渡して固定している。棒２３は、複数を左右に並列している。複数の並列した棒２３は、上側に棒２４を左右方向に配置して固定している。棒２４は、複数を前後に並列している。棒２３と棒２４は、直角に交差し、格子状に配列し、筐体１１の通水性の下面を構成している。筐体１１の下段部分の左面と右面は、それぞれ、開放し、細目透水マット２を抜き出し可能に差し込む開口２５にしている。
【００２２】
〈使用例１（図５と図６参照）〉
本例の浸透水の浄化装置を枡に取り付けた状態は、図５と図６に示す。枡は、コンクリートブロックの枡形体３１の底板３２に通水孔３３を上下方向に貫通して形成している。通水孔３３は、平面形状ないし断面形状を方形状にしている。実施例での断面形状は、正方形にしている。通水孔３３には、浄化装置１〜２５を嵌め込んで取り付けている。筐体１１は、通水孔３３に嵌合し、側面の粗目透水マット用開口１６と細目透水マット用開口２５を通水孔３３の周面で閉鎖している。筐体１１の通水性の上面１３、１４は、底板３２の上面とほぼ同一の高さにしている。枡形体３１の上面の開口には、格子構造の蓋板を被せている。枡形体３１は、地表に埋設し、その下側位置に透水層３４を設けている。透水層３４は、砕石を敷き並べて積層している。
【００２３】
枡に流入した水は、一部又は全部が浄化装置１〜２５付き通水孔３３から透水層３４を経て地中に浸透する。浄化装置１〜２５は、通水孔３３を通過する水から、落ち葉や木の実などのゴミ、砂利、砂や泥などの粒状の固形物を分離して除去する。粗目透水マット１は、通水孔３３に流入する水から、落ち葉や木の実などのゴミや砂利などの大粒の固形物を分離して除去する。細目透水マット２は、粗目透水マット１を通過した水から、砂や泥などの小粒の固形物を分離して除去する。
【００２４】
浄化装置１〜２５は、目詰まりしたときには、筐体１１を枡の通水孔３３から上側に抜き取る。筐体１１内の粗目透水マット１と細目透水マット２は、それぞれ、開口１６、２５から抜き出す。粗目透水マット１、細目透水マット２と空の筐体１１は、洗浄する。洗浄済みの粗目透水マット１と細目透水マット２は、それぞれ、洗浄済みの筐体１１の上段と下段に開口１６、２５から差し込む。水を漉す機能が回復した粗目透水マット１と細目透水マット２を格納した筐体１１は、枡の通水孔３３に上側から嵌め込んで取り付ける。
【００２５】
筐体１１を通水孔３３に嵌め込む際と、抜き取る際には、筐体１１の上面１３、１４の格子の目に手を入れて格子を掴む。浄化装置１〜２５は、着脱が容易に行われる。
【００２６】
〈使用例２（図７と図８参照）〉
本例の浸透水の浄化装置を水路に取り付けた状態は、図７と図８に示す。水路は、コンクリートブロックの溝形体４１の底板４２に、使用例１におけるのと同様に、通水孔４３を貫通して形成している。通水孔４３には、浄化装置１〜２５を嵌め込んで取り付けている。溝形体４１は地表に埋設し、通水孔４３の下側位置に砕石の透水層４４を設けている。
【００２７】
水路を流れる水は、一部が浄化装置１〜２５付き通水孔４３から透水層４４を経て地中に浸透する。浄化装置１〜２５は、通水孔４３を通過する水から、落ち葉や木の実などのゴミ、砂利、砂や泥などの粒状の固形物を分離して除去する。粗目透水マット１と細目透水マット２は、それぞれ、使用例１におけるのと同様に、大粒の固形物と小粒の固形物を漉し取る。水路の浄化装置１〜２５は、目詰まりしたときには、使用例１におけるのと同様に、通水孔４３から抜き取って目詰まりを解消して再び取り付ける。
【００２８】
〈使用例３（図９参照）〉
本例の浸透水の浄化装置を広幅の水路に取り付けた状態は、図９に示す。広幅の水路は、コンクリートブロックの大型ボックスカルバート５１の底板５２に、使用例１におけるのと同様に、通水孔５３を形成している。通水孔５３は、左右の２個所にそれぞれ設けている。２個の通水孔５３には、それぞれ、浄化装置１〜２５を嵌め込んで取り付けている。ボックスカルバート５１は、地表に埋設し、左右の通水孔５３の下側位置に砕石の透水層５４を設けている。
【００２９】
広幅の水路を流れる水は、一部が左右の浄化装置１〜２５付き通水孔５３からそれぞれ透水層５４を経て地中に浸透する。浄化装置１〜２５は、通水孔５３を通過する水から落ち葉や木の実などのゴミ、砂利、砂や泥などの粒状の固形物を分離して除去する。粗目透水マット１と細目透水マット２は、使用例１におけるのと同様に、大粒と小粒の固形物を漉し取る。広幅水路の左右の浄化装置１〜２５は、目詰まりしたときには、使用例１におけるのと同様に、目詰まり解消作業を行う。
【００３０】
［第２例（図１０参照）］
本例の浸透水の浄化装置は、図１０に示すように、筐体１１の左右の側板１２の上側縁にそれぞれフランジ６１を外側に突出して固定している。
【００３１】
枡や水路のコンクリートブロックの底板６６が浄化装置１〜２５、６１の高さより厚い場合、浄化装置１〜２５、６１は、筐体１１を底板６６の通水孔６７に嵌め込んで左右のフランジ６１を底板６６の上面に載せる。左右両側のフランジ６１は、通水孔６７の上端の開口縁に当る。筐体１１の通水性の上面１３、１４は、底板６６の上面とほぼ同一の高さになる。フランジ６１は、筐体１１の過剰な嵌め込みを止める。浄化装置１〜２５、６１は、通水孔６７下側位置の透水層６８から浮かせて通水孔６７の上部に取り付ける。
その他の点は、第１例におけるのと同様である。
【００３２】
［変形例］
１．上記の実施形態において、通水孔３３、４３、５３、６７と浄化装置１〜２５、浄化装置１〜２５、６１は、平面形状を方形状にしているが、円形状や多角形状にする。
２．上記の実施形態の第１例において、使用例１は、底板３２の１個所に通水孔３３を形成してそこに浄化装置１〜２５を取り付けているが、浸透水の流量を増やすときには、底板の複数個所にそれぞれ通水孔を形成して各通水孔に浄化装置１〜２５を取り付ける。
３．上記の実施形態の第２例において、フランジ６１は、筐体１１の左右に設けているが、筐体１１の前後に設ける。又は、筐体１１の左右と前後に設ける。
【符号の説明】
【００３３】
１〜２５  浄化装置
１  粗目透水マット
２  細目透水マット
１１  筐体
１２  左右の側板
１３  左右方向の棒
１４  前後方向の棒
１３、１４  筐体の通水性の上面
１５  左右方向の棒
１６  粗目透水マット用の開口
２１  前後の側板
２２  前後方向の棒
１５、２２  筐体の通水性の中面
２３  前後方向の棒
２４  左右方向の棒
２３、２４  筐体の通水性の下面
２５  細目透水マット用の開口
３１  コンクリートブロックの枡形体
３２  底板
３３  通水孔
３４  透水層
４１  コンクリートブロックの溝形体
４２  底板
４３  通水孔
４４  透水層
５１  コンクリートブロックのボックスカルバート
５２  底板
５３  通水孔
５４  透水層
１〜２５、６１  浄化装置
６１  フランジ
６６  コンクリートブロックの底板
６７  通水孔
６８  透水層
【図１】
0005865061.tif 000002
【図２】
0005865061.tif 000003
【図３】
0005865061.tif 000004
【図４】
0005865061.tif 000005
【図５】
0005865061.tif 000006
【図６】
0005865061.tif 000007
【図７】
0005865061.tif 000008
【図８】
0005865061.tif 000009
【図９】
0005865061.tif 000010
【図１０】
0005865061.tif 000011